(57)【要約】  【課題】脚の内部構造を複雑化することなく天板に付帯するパネルを適切に取り付け可能とし、これにより製造工数やコストを有効に削減したデスクを提供する。  【解決手段】天板２を支持する脚１にパネル取付具６を介してデスクトップパネル３を着脱可能に取り付けるにあたり、前記脚１が上端部近傍に天板支持面１ｂに沿って天板荷重を受ける強度部材１４を備えていることに着目して、脚１の上端部に設けた開口部１５ｂからパネル取付具６の基端部６１を挿入して前記強度部材１４に固定し、パネル取付具６の起立部６２を天板２の厚み方向に立ち上げて、当該起立部６２にデスクトップパネル３を取り付けるようにした。  【選択図】図４
2010099357.tif 000002
【特許請求の範囲】
【請求項１】
天板を支持する脚にパネル取付具を介してパネルを着脱可能に取り付けるようにしたものであって、
前記脚は上端部近傍に天板支持面に沿って天板荷重を受ける強度部材を備えたものであり、脚の上端部に設けた開口部からパネル取付具の基端部を挿入して前記強度部材に固定し、起立部を天板の厚み方向に立ち上げて、当該起立部に前記パネルを取り付けるようにしたことを特徴とするデスク。
【請求項２】
強度部材の内側に中空部が設けられており、前記開口部から差し込んだパネル取付具の基端部をその中空部に挿入するようにしている請求項１記載のデスク。
【請求項３】
パネル取付具が、基端部と起立部との間を屈曲させて構成される一方、開口部が前記中空部に連続する位置にあって天板の後方に上向きに開口するものであり、それら開口部及び中空部は、パネル取付具を取付姿勢から傾斜させた状態で基端部を前記中空部に挿入し、挿入位置で所定の取付姿勢をとらせて基端部を中空部に臨む上壁または底壁に添設させる操作を許容する形状のものである請求項２記載のデスク。
【請求項４】
脚の上面にねじ通過孔を設けるとともに、パネル取付具の基端部にねじ孔を設け、挿入位置で前記ねじ通過孔に通過させたねじを前記基端部のねじ孔に螺合させ、さらに引き寄せることによって、基端部を脚の強度部材に密着させて固定するようにしている請求項1〜３何れかに記載のパネルのデスク。
【請求項５】
パネルがデスクトップパネルであって、天板の取付状態で天板の後方に位置する脚後部の上面が開放されており、その上面に前記開口部を設けている請求項１〜４何れかに記載のデスク。
【請求項６】
パネル取付具の開口部への挿入部分を化粧する化粧部材をパネル取付具とともに共締めし、その化粧部材に配線カバー支持部を設けて、天板の後端及び脚後部の隣接位置に配置される配線カバーを支持させるようにしている請求項５記載のデスク。
【請求項７】
前記配線カバー支持部が、配線空間の後端よりも前方位置にあって傾斜が浅い配線カバーの側縁部下面を支持する第1ガイド突起と、この第1ガイド突起よりも配線空間の後下方にあって傾斜が深い配線カバーの側縁部下面を支持する第２ガイド突起とを備え、これら両ガイド突起によって配線カバーを、配線空間を開放する起立位置と、配線空間を閉塞する水平位置との間で支持点を変えながら姿勢変更可能に支持するようにしている請求項６記載のパネルのデスク。
【発明の詳細な説明】
【技術分野】
【０００１】
本発明は、脚の内部構造を複雑化することなく天板に付帯するパネル等を適切に取り付け得るようにしたデスクに関するものである。
【背景技術】
【０００２】
この種のパネル取付構造を備えたデスクとして、天板を支持する脚にパネル取付具を介してパネルを着脱可能に取り付けるようにしたものが知られている。具体的には、前記脚の一部に竪穴状の中空部を形成するとともに、その中空部を脚の上面に設けた開口部を介して上方に開放し、その開口部に挿入したパネル取付具の基端部を前記脚の中空部に設けた取付部に固定して、当該パネル取付具の突出端側にパネルを取り付けるようにしている。
【０００３】
特許文献１，２には、このようなパネル取付構造を備えたデスクが開示されている。パネル取付具は、ほぼ一定方向に沿って延びる直線に近い形状をなしていて、このパネル取付具を上方から開口部に差し込んで、脚の内部にガタつかないように固定するようにしている。
【特許文献１】特許第２５８６２８６号公報
【特許文献２】実用新案登録第２６０４８４３号公報
【発明の開示】
【発明が解決しようとする課題】
【０００４】
ところが、特許文献１では、パネル取付具の先端を先細りに構成するとともに、脚の内部にパネル取付具の先端を差し込むためのスリットを有する剛性のある板を二重に設けるようにしており、特許文献２では、脚の内部にパネル取付具を保持するための剛性のあるボックス状の取付部を設けるようにしている。このように、従来のパネル取付構造は、パネルを取り付けにあたって、脚の内部に剛性のある特殊な構造を作り込んでおり、脚の製造工数やコストの増大につながるとともに、パネルを取り付けていないデスクにも不必要な構成要素が付帯することとなって、更にデスクのコストアップを招く要因になっているという問題がある。
【０００５】
本発明は、このような課題に着目してなされたものであって、脚の内部構造を複雑化することなく天板に付帯するパネルを適切に取り付け可能とし、これにより製造工数やコストを有効に削減したデスクを提供することを目的としている。
【課題を解決するための手段】
【０００６】
本発明は、かかる目的を達成するために、次のような手段を講じたものである。
【０００７】
すなわち、本発明のデスクは、天板を支持する脚にパネル取付具を介してパネルを着脱可能に取り付けるようにしたものであって、前記脚は上端部近傍に天板支持面に沿って天板荷重を受ける強度部材を備えたものであり、脚の上端部に設けた開口部からパネル取付具の基端部を挿入して前記強度部材に固定し、起立部を天板の厚み方向に立ち上げて、当該起立部に前記パネルを取り付けるようにしたことを特徴とする。
【０００８】
このように構成すれば、天板荷重を支持する強度部材をそのまま利用してパネル取付具を取り付けることができるので、脚の内部に別途にパネル取付具を取り付けるための構造を作り込む必要がない。このため、脚ひいてはデスクの製造工数やコストを削減することができ、パネルを使用しないデスクに不必要な構成要素を導入していた問題も有効に解消することができる。
【０００９】
強度部材の好ましい形態としては、当該強度部材の内側に中空部が設けられ、前記開口部から差し込んだパネル取付具の基端部をその中空部に挿入するようにしているものが挙げられる。
【００１０】
この場合に、パネル取付具の適正な取付状態と着脱容易性とを両立させるためには、パネル取付具が、基端部と起立部との間を屈曲させて構成される一方、開口部が前記中空部に連続する位置にあって天板の後方に上向きに開口するものであり、それら開口部及び中空部は、パネル取付具を取付姿勢から傾斜させた状態で基端部を前記中空部に挿入し、挿入位置で所定の取付姿勢をとらせて基端部を中空部に臨む上壁または底壁に添設させる操作を許容する形状のものであることが望ましい。
【００１１】
内部構造の複雑化を一層有効に回避するためには、脚の上面にねじ通過孔を設けるとともに、パネル取付具の基端部にねじ孔を設け、挿入位置で前記ねじ通過孔に通過させたねじを前記基端部のねじ孔に螺合させ、さらに引き寄せることによって、基端部を脚の強度部材に密着させて固定するようにしていることが好ましい。
【００１２】
パネルがデスクトップパネルである場合には、天板の取付状態で天板の後方に位置する脚後部の上面を開放し、その上面に前記開口部を設けていることが本発明を実施する上で効果的である。
【００１３】
パネル取付具の取付状態における見栄えを周辺の構成との兼ね合いで効率良く向上させるためには、パネル取付具の開口部への挿入部分を化粧する化粧部材をパネル取付具とともに共締めし、その化粧部材に配線カバー支持部を設けて、天板の後端及び脚後部の隣接位置に配置される配線カバーを支持させるようにしていることが効果的である。
【００１４】
その配線カバーを、デスクトップパネル等と干渉することなく有効に活用できる状態にするためには、前記配線カバー支持部が、配線空間の後端よりも前方位置にあって傾斜が浅い配線カバーの側縁部下面を支持する第1ガイド突起と、この第1ガイド突起よりも配線空間の後下方にあって傾斜が深い配線カバーの側縁部下面を支持する第２ガイド突起とを備え、これら両ガイド突起によって配線カバーを、配線空間を開放する起立位置と、配線空間を閉塞する水平位置との間で支持点を変えながら姿勢変更可能に支持するようにしていることが有効となる。
【発明の効果】
【００１５】
以上説明したように、本発明によれば、デスクに本来備わる強度部材を最大限に有効活用してデスクトップパネル等のパネルを簡単に取り付けることができ、パネルを使用しないデスクに不必要な構造を持ち込むことも極力排除して、脚ひいてはデスクの製造工数及びコストを有効に削減することができるという優れた効果を奏するものとなる。
【発明を実施するための最良の形態】
【００１６】
以下、本発明の一実施形態を、図面を参照して説明する。
【００１７】
図１は、このパネル取付構造が適用されるデスクを示している。このデスクは、左右の脚１、１間に天板２を支持させ、天板２の後端２ａ側にデスクトップパネル３及び配線ダクトカバー４を配置して構成される。
【００１８】
脚１は、脚側板１１の上下にステー１２及びベース１３を備えたもので、ステー１２から脚側板１１に亘る部位の上面１ａのうち後端部よりも前方が天板支持面１ｂとして設定され、その天板支持面１ｂに天板２の側縁２ｂが載せ置かれている。天板支持面１ｂと天板２の下面との間は、図示しないフック爪とスリット、段付きピンとダルマ孔などを始めとする適宜の取付構造によって連結される。脚１の上端部近傍の内部には、図２に示すように、ステー１２の長手方向と直交する方向に折り曲げられた強度部材１４が天板支持面１ｂに沿って配置されている。この実施形態の強度部材１４は、上壁１４ａ、側壁１４ｂ及び底壁１４ｃを具備する下向きチャネル状をなすもので、内側に中空部１４ｄが形成されており、後部側の強度部材１４の底壁１４ｃの一部が切除されて後述する干渉回避部１４ｘが形成されている。後部側の上面１ａには、後述する化粧部材５を装着するための装着孔１５aと、パネル取付具６を挿脱するための開口部１５ｂと、パネル取付具６をねじ止めするためのねじ通過孔１５ｃとが少なくとも開口している。これら開口部１５ｂやねじ通過穴１５ｃ等は前記中空部１４ｄに連続している。
【００１９】
一方、デスクトップパネル３は、図３に示すように、左右両側縁３ａの近傍の内部に下端側に開口にしてパネル取付具６を挿入可能な内空部３ｂを備えている。パネル取付具６は金属製のもので、基端部６１と、この基端部６１から屈曲して立ち上がる起立部６２とを備えた概略Ｌ字形をなしており、基端部６１を図４に示すように前記開口部１５ｂを介し脚１の中空部１４ｄに挿入して強度部材１４の上壁１４ａの下面に添設させ、その状態で起立部６２を脚１の開口部１５ｂから上方に突出させ得るようにしている。パネル取付具６の基端部６１には、図２に示したねじ通過孔１５ｃに対応する位置に図３及び図４に示すねじ孔６１ａを有しており、起立部６２は前記デスクトップパネル３の内空部３ｂに直接または図示しないすべり部材を介して緊密に差し込まれる横断面の関係に設定されている。
【００２０】
パネル取付具６と、脚１の開口部１５ｂ及び中空部１４ｄとの関係は、パネル取付具６を取付姿勢から傾斜させた図４に想像線で示す姿勢で基端部６１を開口部１５ｂを介して前記中空部１４ｄに挿入し、挿入位置で取付姿勢をとるように回転させることによって基端部６１を中空部１４に臨む強度部材１４の上壁１４ａに添設させる操作を許容するように、前記開口部１５ｂの開口幅を設定し、また前記強度部材１４の底壁１４ｃにパネル取付具６の基端６１との干渉を回避する前述した干渉回避部１４ｘが設けてある。
【００２１】
そして、挿入位置で前記ねじ通過孔１５ｃに通過させたねじｖ１を前記基端部６１のねじ孔６１aに螺合させ、さらに引き寄せることによって、基端部６１を脚１に内設された強度部材１４の上壁１４ａの下面に密着させて固定するようにしている。
【００２２】
なお、この本実施形態は、図４に示すパネル取付具６の開口部１５ｂへの挿入部分を化粧すべく、脚後部１ｃの上面に図５に示す下化粧部材５１を装着するようにしており、この下化粧部材５１をパネル取付具６とともに前記ねじｖ１によって共締めするようにしている。この下化粧部材５１には、さらに図中想像線で示す上化粧部材５２が装着されてねじｖ１等が隠蔽され、上化粧部材５２の上面５２ａが天板２の上面２ｃと面一な関係となるようにしている。
【００２３】
そして、前記下化粧部材５１の一部に図５及び図６に示す配線カバー支持部５３を設けて、天板２の後端２ａ及び脚後部１ｃの隣接位置に配置される配線カバー４を支持させるようにしている。
【００２４】
配線カバー支持部５３は、下化粧部材５１の内側面における後端部５１ａよりもやや前方位置において内向きに突出する第１のガイド突起５３ａと、この第１のガイド突起５３ａよりも後下方において内向きに突出する第２のガイド突起５３ｂとを有している。一方、配線カバー４の側縁には、図５及び図７に示すように、後端部４ａよりもやや前方において下方に開口する第１の凹溝４１aと、この第１の凹溝４１aよりも後端側において下方に開口する位置する第２の凹溝４１ｂとが設けてある。これらは、図８（ａ）に示すように配線カバー４の傾斜が浅いときには当該配線カバー４の第１の凹溝４１aに第1ガイド突起５３ａを係合させ、配線カバー４の傾斜が深いときには当該配線カバー４の第２の凹溝４１ｂに第２ガイド突起５３ｂを係合させるように関連づけられており、係合状態で各凹溝４１ａ、４１ｂはガイド突起５３ａ、５３ｂを回転可能に支持する軸受として働く。その結果、配線カバー支持部５３は、配線空間Ｓのほぼ全域を開放する図８（ｂ）の起立位置と、配線空間Ｓのほぼ全体を閉塞する図８（ａ）の水平位置との間で、途中回転支点を変えながら姿勢変更可能に支持するようにしている。水平姿勢では下化粧部材５１のうち側面に設けた凸部５３ｃに配線カバー４の側縁の前端側に設けた凹部４１ｃが係合するようにしてある。
【００２５】
なお、図２に示したステー１２は、長手方向と直交する方向に剛性のある金属板材を折り曲げることにより形成されており、前端側に生じる開口に図９及び図１１に示すキャップ７を取り付けてこれを閉止するようにしている。図１０（ａ）及び（ｃ）はステー１２に装着する前のキャップ７を示し、同図（ｃ）はステー１２の上壁１２ａを取り除いた状態で装着時のキャップ７の様子を示している。キャップ７には、図１０（ａ）及び図１１に示すように底部にボス孔状の貫通孔７１が設けられ、その貫通孔７１よりも径の大きい頭部７２ａを有するねじ７２が図１０（ｂ）及び図１１に示すように頭部７２ａを貫通孔７１に臨ませて下方から工具８により操作可能な倒置状態でキャップ７内に格納してある。そして、そのねじ７２の軸部７２ｂに図１０（ｃ）及び図１１に示すように円環状の傾倒規制部材であるワッシャ７３が周囲のリブ等に近接する状態で遊嵌させてある。そして、ステー１２の上壁１２aにおける前記ねじ７２の対応位置にねじ孔１２ｂを設けておき、図１１に示すように下方から貫通孔７１に挿入した工具８によりねじ７２を持ち上げてステー１２の対応部位に設けたねじ孔１２ｂに突き当て、その位置で回転操作によりねじ止めを行うことによって、ステー１２へのキャップ７の取り付けを完了するようにしている。逆にねじ１２を緩めれば、ステー１２へのキャップ７の取り付けが解除され、ねじ１２は最初の格納状態に戻る。
【００２６】
以上のように、本実施形態のデスクは、天板２を支持する脚１にパネル取付具６を介してデスクトップパネル３を着脱可能に取り付けるにあたり、前記脚１が上端部近傍に天板支持面１ｂに沿って天板荷重を受ける強度部材１４を備えていることに着目して、脚１の上端部に設けた開口部１５ｂからパネル取付具６の基端部６１を挿入して前記強度部材１４に固定し、パネル取付具６の起立部６２を天板２の厚み方向に立ち上げて、当該起立部６２にデスクトップパネル３を取り付けるようにしたものである。
【００２７】
このように、天板荷重を支持する強度部材１４をそのまま利用してパネル取付具６を取り付けるようにしているので、脚１の内部に別途にパネル取付具６を取り付けるための構造を作り込む必要がない。このため、脚１ひいてはデスクの製造工数やコストを削減することができ、デスクトップパネル３を使用しないデスクに不必要な構成要素が標準で付随することも回避して、上記のコスト削減効果を実効あらしめることができる。
【００２８】
また、強度部材１４の内側に中空部１４ｄを設け、前記開口部１５ｂから差し込んだパネル取付具６の基端部６１をその中空部１４ｄに挿入するようにしているので、パネル取付具６の基端部６１の挿入空間を容易に確保することができ、挿入するだけで基端部６１を強度部材１４に直接添設させて配置することが可能になる。
【００２９】
具体的には、パネル取付具６が、基端部６１と起立部６２とを屈曲させて構成される一方、開口部１５ｂが前記中空部１４ｄに連続する位置にあって天板２の後方に上向きに開口するものであり、それらの開口部１５ｂ及び中空部１４ｄは、パネル取付具６を取付姿勢から傾斜させた状態で基端部６１を中空部１４ｄに挿入し、挿入位置で所定の取付姿勢に戻すことによって基端部６１を中空部１４ｄに臨む強度部材１４の上壁１４ａに添設させる操作を許容する形状のものであるため、脚１の開口部１５ｂに上方からパネル取付具６を差し込んで回転させるだけで簡単に所定の取付位置に配置することができ、着脱作業の平易化を図ることができる。
【００３０】
また、脚１の上面１ａにねじ通過孔１５ｃを設けるとともに、パネル取付具６の基端部６１にねじ孔６１aを設け、挿入位置で前記ねじ通過孔１５ｃに通過させたねじｖ１を前記基端部６１のねじ孔６１aに螺合させ、さらに引き寄せることによって、基端部６１を脚１に内設された強度部材１４の上壁１４ａの下面に密着させて固定するようにしているので、脚１の内部の深い箇所にねじ孔を作り込まなくてよく、ここでも内部構造の複雑化を回避することができる。
【００３１】
さらに、パネルがデスクトップパネル３であって、天板２の取付状態で天板２の後方に位置する脚後部１ｃの上面１ａが開放されて、その上面１ａに前記開口部１５ｂを設けている。すなわち、かかる部位は開口部１５ｂを確保し易く、天板２と干渉せずにパネル取付具６を挿脱することができて、天板２を支持する強度部材１４にアクセスし易いため、本実施形態におけるパネル取付構造の設計上、極めて有効となり得る。
【００３２】
さらにまた、パネル取付具６の開口部１５ｂへの挿入部分を化粧する下化粧部材５１をパネル取付具６とともに共締めし、その下化粧部材５１に配線カバー支持部５３を設けて、天板２の後端２ａ及び脚後部２ｃの隣接位置に配置される配線カバー４を支持させるようにしているので、下化粧部材５１を効率良く取り付けることができ、その下化粧部材５１に配線カバー４を効果的に支持させることができる。
【００３３】
一方、本実施形態の配線カバー支持部５３は、配線空間Ｓの後端よりも前方位置にあって傾斜が浅い配線カバー４の側縁部下面を支持する第1ガイド突起５３ａと、この第1ガイド突起５３ａよりも配線空間Ｓの後下方にあって傾斜が深い配線カバー４の側縁部下面を支持する第２ガイド突起５３ｂとを備え、これら両ガイド突起５３a、５３ｂによって配線カバー４を、配線空間Ｓを開放する起立位置と、配線空間Ｓを閉塞する水平位置との間で支持点を変えながら支姿勢変更可能に持するようにしている。
【００３４】
すなわち、配線カバー４には図示のように一定の厚みがあり、側縁後部に位置する図８（ｂ）の第２ガイド突起５３ｂのみを支点として回転させると傾斜が浅い段階で配線カバー４の後部が支点である第２ガイド突起５３ｂよりも後方に迫り出してデスクトップパネル３等と干渉し易く、これを避けるために支点を前に出して図８（ａ）に示す第１ガイド突起５３ａのみで支持すると、干渉はしないものの配線空間Ｓの開口面積が小さくなる。これに対して、上記のように構成すれば、傾斜が浅いときには配線カバー４の支持点が第１ガイド突起５３ａによって前方に持ち出されることにより配線カバー４の後方への迫り出しが抑制され、傾斜が深くなると配線カバー４の支持点が後方の第２ガイド突起５３ｂに移動して開口面積を大きく確保することができるので、デスクトップパネル３等と干渉することなく配線空間Ｓを有効に活用できる状態にすることが可能となる。勿論、デスクトップパネル３を取り付けない状態でも、対面配置したデスク間において、配線カバー４が相手方のデスクと干渉することを回避する上でも有効な構成となる。
【００３５】
さらにまた、本実施形態の脚１は、脚側板１１の上方より前方に向けて突出するステー１２を備え、そのステー１２は、長手方向と直交する方向に板材を折り曲げることにより形成されて、前端側に生じる開口にキャップ７を取り付けて閉止するようにしている。そして、そのキャップ７の取り付けに際し、キャップ７内に、脱落しない状態でねじ７２を収容し、そのねじ７２の頭部７２ａをキャップ７の外壁の一部に設けた貫通孔７１を介して外部から工具８を挿入可能な位置に臨ませて、キャップ７をステー１２の所定位置に配置した状態で、前記貫通孔７１に挿入した工具８によりねじ７２を操作して、ステー１２の対応部位に設けたねじ孔１２ｂにねじ止めし得るようにしている。
【００３６】
このため、常時キャップ７内にねじ７２を格納して一体的に取り扱うことができ、キャップ着脱に伴う作業の便の向上と部品管理の煩わしさを有効に解消することができる。
【００３７】
この場合、ねじ７２に傾倒防止部材であるワッシャ７３を係合させているので、ねじ７２が傾いてねじ孔１２ｂとの軸心がずれるといったことがなく、内部が見えない状態で操作しても確実にステー１２への固定を行うことが可能となる。
【００３８】
なお、各部の具体的な構成は、上述した実施形態のみに限定されるものではなく、本発明の趣旨を逸脱しない範囲で種々変形が可能である。
【００３９】
例えば、パネル取付具は中空部に臨む底壁に添設させて固定させるように構成することも可能である。
【００４０】
また、上記実施形態では天板にデスクトップパネルを取り付ける場合について説明したが、天板にサイドパネルを取り付ける場合等にも本発明を適用することができる。
【図面の簡単な説明】
【００４１】
【図１】本発明の一実施形態に係るデスクの斜視図。
【図２】同デスクを構成する脚の内部構造を一部破裂して示す断面図。
【図３】同実施形態におけるパネル取付具とデスクトップパネルとの関係を示す斜視図。
【図４】同実施形態におけるパネル取付具の脚への取付状態を示す模式的な断面図。
【図５】同実施形態におけるパネル取付具と化粧部材および配線カバーとの関係を示す斜視図。
【図６】同実施形態における配線カバー支持部を示す斜視図。
【図７】同実施形態における配線カバーを示す斜視図。
【図８】同実施形態における配線カバーの姿勢変更の軌跡を示す図。
【図９】同実施形態における脚のステー前端にキャップが装着された状態を示す要部拡大斜視図。
【図１０】同実施形態におけるキャップの取付手順を示す斜視図。
【図１１】図９に対応した断面図。
【符号の説明】
【００４２】
１…脚
１ａ…脚の上面
１ｂ…天板支持面
１ｃ…脚後部
２…天板
３…パネル（デスクトップパネル）
４…配線カバー
６…パネル取付具
１２…ステー
１４…強度部材
１４ａ…上壁
１４ｄ…中空部
１５ｂ…開口部
１５ｃ…ねじ通過孔
５１…下化粧部材
５３…配線カバー支持部
５３ａ…第１ガイド突起
５３ｂ…第２ガイド突起
６１…基端部
６２…起立部
【図１】
2010099357.tif 000003
【図２】
2010099357.tif 000004
【図３】
2010099357.tif 000005
【図４】
2010099357.tif 000006
【図５】
2010099357.tif 000007
【図６】
2010099357.tif 000008
【図７】
2010099357.tif 000009
【図８】
2010099357.tif 000010
【図９】
2010099357.tif 000011
【図１０】
2010099357.tif 000012
【図１１】
2010099357.tif 000013